(57)【要約】【課題】  日射遮蔽装置のヘッドボックスから垂下するループ状操作コードが幼児の首を絞める事故を未然に防止する。【解決手段】  日射遮蔽装置の操作コードを交絡性又は接着性の紐材、例えば、永久磁石からなるボールチェーン、毛羽立加工紐、超強撚紐等とし、ヘッドボックスから垂下するループ状操作コードの幼児の手が届く部分を一本の紐状に絡み合わせるか、又は、ヘッドボックスから垂下するループ状操作コードを幼児の手が届かない高さに接着保持することを特徴とする。【選択図】      図１
2006070449.tif 000002
【特許請求の範囲】
【請求項１】
ヘッドボックスから日射遮蔽材の操作コードがループ状に垂下する日射遮蔽装置において、前記操作コードは、交絡性又は接着性を有する紐材であることを特徴としてなる日射遮蔽装置の操作コード。
【請求項２】
操作コードは、ボールチェーンであり、前記ボールチェーンのすべてのボール又は一定間隔毎のボールもしくは中芯は、永久磁石体であることを特徴としてなる請求項１に記載の日射遮蔽装置の操作コード。
【請求項３】
ヘッドボックス又はその近辺の壁面等に吸着用強磁性体が配置されることを特徴としてなる請求項２又は３に記載の日射遮蔽装置の操作コード。
【請求項４】
操作コードは、ボールチェーンであり、前記ボールチェーンのすべてのボール又は一定間隔毎のボールもしくは中芯は、強磁性体であり、ヘッドボックス又はその近辺の壁面等に吸着用永久磁石体が配置されることを特徴としてなる請求項１に記載の日射遮蔽装置の操作コード。
【請求項５】
ボールチェーンは、屈曲性パイプ材で被覆されることを特徴としてなる請求項２ないし４のいずれか１つに記載の日射遮蔽装置の操作コード。
【請求項６】
操作コードは、少なくともヘッドボックスから垂下する部分が、針布状表面を有する毛羽立加工紐であることを特徴としてなる請求項１に記載の日射遮蔽装置の操作コード。
【請求項７】
ヘッドボックス又はその近辺の壁面等に針布状表面を有する接着用毛羽立加工吸着布が配置されることを特徴としてなる請求項６に記載の日射遮蔽装置の操作コード。
【請求項８】
操作コードは、少なくともヘッドボックスから垂下する部分が、撚り戻し性を有する超強撚紐であることを特徴としてなる請求項１に記載の日射遮蔽装置の操作コード。
【請求項９】
ヘッドボックスから日射遮蔽材の操作コードがループ状に垂下する日射遮蔽装置において、前記操作コードは、両端のボールが継手を介して脱着可能に接続されたボールチェーンであり、前記継手は前記ボールを弾性的に掴む複数の爪を備えることを特徴としてなる日射遮蔽装置の操作コード。
【発明の詳細な説明】
【技術分野】
【０００１】
本発明は、日射遮蔽装置のヘッドボックスから垂下する操作コードに関する。
【背景技術】
【０００２】
ベネシャンブラインド、プリーツスクリーン、ロールブラインド等の日射遮蔽装置において、日射遮蔽材を開閉する操作コードはヘッドボックスからループ状に垂下する。そのループ状コードの片側を引くと、日射遮蔽材は開き、反対側を引くと、日射遮蔽材は閉じるので、幼児が面白がって操作コードを引いたり放したりして遊ぶことも少なくない。
しかし、幼児が、操作コードと戯れているときに、操作コードのループ部分が幼児の首に掛かると、幼児の首が絞められるから、安全上の大事故を起こすおそれがある。
【特許文献１】特公平３−３０６７８号公報
【特許文献２】実公平８−９３５３号公報
【発明の開示】
【発明が解決しようとする課題】
【０００３】
本発明は、この安全上の問題を解決するためになされたものであり、その課題は、ヘッドボックスからループ状に垂下する操作コードによる安全上の事故を未然に防止することである。
【課題を解決するための手段】
【０００４】
前記課題を達成するため、本発明が採用する手段は、日射遮蔽装置の操作コードを交絡性又は接着性の紐材とし、ヘッドボックスから垂下するループ状操作コードの幼児の手が届く部分を一本の紐状に絡み合わせるか、又は、ヘッドボックスから垂下するループ状操作コードを幼児の手が届かない高さに接着保持することを特徴とする。
【発明の効果】
【０００５】
本発明は、上記手段により、日射遮蔽装置のヘッドボックスから垂下するループ状操作コードが、絡み合って一本の紐状であるから、又は、幼児の手が届かない高さに保持されるから、操作コードが幼児の首を絞める事故は未然に防止される。
【発明を実施するための最良の形態】
【０００６】
操作コードとしてチェーンホイールに掛けるボールチェーンを使用する場合、すべてのボール又は一定間隔毎のボールもしくは中芯をを永久磁石体にすると、ヘッドボックスから垂下するループ状操作コードは、磁力で相互に吸着して自ずから一本の紐状となる。このとき、ヘッドボックス又はその近辺の壁面等に鉄片等の吸着用強磁性体を配置し、その強磁性体に操作コードを磁力吸着させると、操作コードは幼児の手が届かない高さに保持される。このボールチェーンを屈曲性パイプ材で被覆すると、チェーンホイールをプーリに代えることができる。
【０００７】
ボールチェーンのすべてのボール又は一定間隔毎のボールもしくは中芯をを強磁性体とすることも可能である。この場合、ヘッドボックスから垂下する操作コードはループ状のままであるが、ヘッドボックス又はその近辺の壁面等に吸着用永久磁石体を配置し、その永久磁石体に操作コードを磁力吸着させると、操作コードは幼児の手が届かない高さに保持される。このボールチェーンも屈曲性パイプ材で被覆すると、チェーンホイールをプーリに代えることができる。
【０００８】
操作コードとしてプーリに掛ける紐材を使用する場合、紐材の少なくともヘッドボックスから垂下する部分を、表面がマジックテープ（登録商標）と同様な針布状の毛羽立加工紐又は超強撚紐にすると、ヘッドボックスから垂下するループ状操作コードは、接着又は交絡して自ずから一本の紐状となる。毛羽立加工紐の場合は、ヘッドボックス又はその近辺の壁面等に表面が紐材と同様な針布状の接着用毛羽立加工布を配置し、その毛羽立加工布に操作コードを接着又は交絡させると、操作コードは幼児の手が届かない高さに保持される。
【実施例】
【０００９】
本発明を図面に示す実施例に基づいて説明する。図１及び図２は、本発明の操作コードを備える屋内用ブラインドの立面図であり、図１は、ヘッドボックスから垂下するループ状操作コードが接着又は交絡して一本の紐状となる状態を、図２は、ヘッドボックスから垂下するループ状操作コードがヘッドボックスと接着して幼児の手が届かない高さに保持される状態をそれぞれ示す。
【００１０】
図３は、本発明実施例１の操作コードを示す図であり、この操作コード１は、ボール２と、中芯３とからなるループ状のボールチェーンである。すべての又は一定間隔毎のボール２もしくは中芯３は、永久磁石体であるから、図１に示すように、ヘッドボックス４から垂下するループ状操作コード１は、磁力で相互に吸着して自ずから一本の紐状となる。したがって、幼児が、操作コード１を弄んでも、操作コード１が幼児の首に掛かり首を絞めるおそれはない。
【００１１】
ヘッドボックス４の前面に鉄片などの吸着用強磁性体５を付設し、図２に示すように、その強磁性体５に操作コード１を磁力吸着させると、操作コード１は幼児の手が届かない高さに保持されるから、幼児が操作コード１と係り合う機会は生じない。
【００１２】
図４は、本発明実施例２の操作コードを示す図である。この操作コード１ａは、ボール２と、中芯３とからなるループ状のボールチェーンを透明な屈曲性パイプ材６で被覆したものであり、図示していないが、ヘッドボックスのプーリに掛けられて垂下する。このボールチェーン１ａも、実施例１と同様に、すべての又は一定間隔毎のボール２もしくは中芯３は、永久磁石体であるから、図１に示すように、ヘッドボックス４から垂下するループ状操作コード１ａは、磁力で相互に吸着して自ずから一本の紐状となる。したがって、幼児が、操作コード１を弄んでも、操作コード１が幼児の首に掛かり首を絞めるおそれはない。また、図２に示すように、ヘッドボックス４の強磁性体５に操作コード１ａを磁力吸着させると、操作コード１ａは幼児の手が届かない高さに保持されるから、幼児が操作コード１と係り合う機会は生じない。
【００１３】
図５は、本発明実施例３の操作コードを示す図であり、この操作コード１ｂは、表面が針布状の毛羽立加工紐である。図１に示すように、ヘッドボックス４から垂下するループ状操作コード１ｂは、接着又は交絡して自ずから一本の紐状となるから、幼児が、操作コード１を弄んでも、操作コード１が幼児の首に掛かり首を絞めるおそれはない。また、図示していないが、ヘッドボックスに表面が針布状の接着用毛羽立加工布を配置し、その毛羽立加工布に操作コードを接着又は交絡させると、操作コードを幼児の手が届かない高さに保持することができる。
【００１４】
図６は、本発明実施例４の操作コードを示す図であり、この操作コード１ｃは、非常に強い撚りを掛けた超強撚紐である。ヘッドボックス４から垂下するループ状操作コード１ｃは、撚り戻しにより交絡して自ずから一本の紐状となるから、幼児が、操作コード１ｃを弄んでも、操作コード１ｃが幼児の首に掛かり首を絞めるおそれはない。
【００１５】
図７は、本発明実施例５の操作コードの要部を示す図である。この操作コード１ｄは、ボールと中芯とからなる通常のボールチェーンであり、継手７が両端のボール２、２を脱着可能に接続してループを形成している。継手７は両側にボール２を弾性的開閉してボール２を掴む複数の爪８を備える。操作コード１ｄに少し強い張力が作用すると、爪８は開いてボール２を解放し操作コード１ｄのループは切れる。したがって、幼児が、操作コード１ｄを弄んでも、操作コード１ｄが幼児の首に掛かり首を絞めるおそれはない。図示していないが、この操作コードをプーリに掛けるときは、操作コードの継手以外の部分を屈曲性パイプ材で被覆する。
【図面の簡単な説明】
【００１６】
【図１】本発明の操作コードを備える屋内用ブラインドの立面図であり、ヘッドボックスから垂下するループ状操作コードが接着又は交絡して一本の紐状となる状態を示す。
【図２】本発明の操作コードを備える屋内用ブラインドの立面図であり、ヘッドボックスから垂下するループ状操作コードがヘッドボックスと接着して幼児の手が届かない高さに保持される状態を示す。
【図３】実施例１の操作コードを示す図、
【図４】実施例２の操作コードを示す図、
【図５】実施例３の操作コードを示す図、
【図６】実施例４の操作コードを備える屋内用ブラインドの立面図、
【図７】実施例５の操作コードの要部を示す図。
【符号の説明】
【００１７】
１、１ａ、１ｂ、１ｃ、１ｄ：操作コード
２：ボール
３：中芯
４：ヘッドボックス
５：強磁性体
６：屈曲性パイプ材
７：継手
８：爪
【図１】
2006070449.tif 000003
【図２】
2006070449.tif 000004
【図３】
2006070449.tif 000005
【図４】
2006070449.tif 000006
【図５】
2006070449.tif 000007
【図６】
2006070449.tif 000008
【図７】
2006070449.tif 000009